(57)【特許請求の範囲】
【請求項１】
複数枚のフィルムの周縁が互いに接合され、該接合面の少なくとも一箇所にはフィルムからなるバルブが装着されており、複数本の手及び／又は足を有する形状をなす風船本体と、
該風船本体の前記手及び／又は足の内部に収容固着された複数の磁石とを備えており、
前記フィルムは、背面側の１枚と、前面側の左右２枚との３枚で構成されており、前面側の左右２枚のフィルムどうしの接合縁部のほぼ中央部に前記バルブが装着されたバルブ挿入口が設けられており、
前記バルブ挿入口と、前記手及び／又は足の先端部の内部とが、前記風船本体に気体が注入されていない状態で、ほぼ直線的な通路で連通するように構成されていることを特徴とする磁石付き風船。
【請求項２】
複数枚のフィルムの周縁が互いに接合され、該接合面の少なくとも一箇所にはフィルムからなるバルブが装着されており、両手及び両足を有する形状をなす風船本体と、
該風船本体の前記両手及び前記両足の内部に収容固着された複数の磁石とを備えており、
前記バルブが装着された部分のバルブ挿入口と、前記手及び／又は足の先端部の内部とが、前記風船本体に気体が注入されていない状態で、ほぼ直線的な通路で連通するように構成されており、
前記両手の内側に固着された磁石どうし、及び前記両足の内側に固着された磁石どうしが、互いに吸着可能なＳ極及びＮ極からなっていることを特徴とする磁石付き風船。
【請求項３】
前記風船本体に気体が注入されていない状態で、前記バルブ挿入口に対して、前記手及び／又は足が放射状に伸びている請求項１又は２記載の磁石付き風船。
【請求項４】
前記手及び／又は足は、関節部分に相当する部分がくびれた形状をなしている請求項１〜３のいずれか１つに記載の磁石付き風船。
【請求項５】
前記フィルムは、背面側のフィルムと前面側のフィルムとで構成されており、前記磁石は、前面側のフィルムの内面に固着されている請求項１〜４のいずれか１つに記載の磁石付き風船。
【請求項６】
前記バルブが装着された部分を覆うことが可能な衣服状物が、着脱可能に被せられている請求項１〜５のいずれか１つに記載の磁石付き風船。
【発明の詳細な説明】
【技術分野】
【０００１】
本発明は、内部に磁石を有する磁石付き風船に関する。
【背景技術】
【０００２】
風船には、主として、塩化ビニールで形成されたビニール風船と、合成樹脂フィルムで形成されたフィルム風船と、ゴム風船とがある。このうち、フィルム風船は、印刷や金属蒸着によって鮮やかな外観を付与でき、薄いフィルムを重ねて熱溶着と同時に溶断して作ることから、形状的にも趣向を凝らしたものが作りやすいという特徴がある。
【０００３】
下記特許文献１には、このようなフィルム風船の内部に磁石を挿入して両面接着テープで固着した磁石付き風船おもちゃが開示されている。
【０００４】
また、下記特許文献２には、おんぶ・抱っこ及びぶら下がりを可能とした人形の手足に磁石を装着し、子供の衣服にも、上記人形の手足に対応した箇所に磁石を装着して、人形の手足を子供の衣服に吸着させて、人形をおんぶさせたりすることが可能にしたものが開示されている。
【先行技術文献】
【特許文献】
【０００５】
【特許文献１】特許第５０６５２１３号公報
【特許文献２】実公平７−６９４７号公報
【発明の開示】
【発明が解決しようとする課題】
【０００６】
特許文献１に記載された風船おもちゃは、内蔵した磁石により鉄板からなる壁等に吸着させて楽しむことができるものの、磁石を利用して風船を変化に富んだ形状にして楽しむことについての着眼はなされていなかった。
【０００７】
特許文献２には、人形の手足と子供の衣服に磁石を装着して、人形を子供の衣服に吸着させて楽しむことが開示されているものの、磁石は人形を子供の衣服に吸着させるために利用しているだけで、人形の形状自体を磁石によって変化させて楽しむことについては着眼されていない。
【０００８】
したがって、本発明の目的は、磁石を利用して多様に変化させて楽しむことが可能な磁石付き風船を提供することにある。
【課題を解決するための手段】
【０００９】
上記目的を達成するため、本発明の磁石付き風船は、複数枚のフィルムの周縁が互いに接合され、該接合面の少なくとも一箇所にはフィルムからなるバルブが装着されており、複数本の手及び／又は足を有する形状をなす風船本体と、該風船本体の前記手及び／又は足の内部に収容固着された複数の磁石とを備えていることを特徴とする。
【００１０】
本発明によれば、手及び／又は足の内部に収容固着された複数の磁石によって、磁気吸着性の壁に手及び／又は足を吸着させたり、複数の風船の手及び／又は足どうしを磁気吸着させていろいろな形状に連結させたり、手及び／又は足のいずれかを磁気吸着性の壁に吸着させると共に、残りの手及び／又は足どうしでカードやシート等を挟んで磁気吸着により保持させたりすることができ、様々な使い方で、おもちゃ、ディスプレイ、クリップ等として利用することができる。
【００１１】
本発明の磁石付き風船においては、前記バルブが装着された部分のバルブ挿入口と、前記手及び／又は足の先端部の内部とが、前記風船本体に気体が注入されていない状態で、ほぼ直線的な通路で連通するように構成されていることが好ましい。
【００１２】
上記態様によれば、風船本体のバルブ挿入口を通して、手及び／又は足の先端部の内部に磁石を挿入しやすくすることができる。
【００１３】
また、前記風船本体に気体が注入されていない状態で、前記バルブ挿入口に対して、前記手及び／又は足が放射状に伸びていることが好ましい。
【００１４】
上記態様によれば、風船本体のバルブ挿入口を通して、複数の手及び／又は足の先端部の内部に磁石を挿入しやすくすることができる。
【００１５】
また、前記フィルムは、背面側の１枚と、前面側の左右２枚との３枚で構成されており、前面側の左右２枚のフィルムどうしの接合縁部のほぼ中央部に前記バルブ挿入口が設けられていることが好ましい。
【００１６】
上記態様によれば、３枚構成とすることにより、立体感に富んだ形状にすることができると共に、前面側の左右２枚のフィルムどうしの接合面のほぼ中央部にバルブ挿入口が設けられているので、バルブ挿入口を通して、複数の手及び／又は足の先端部の内部に磁石を挿入しやすくすることができる。
【００１７】
また、前記手及び／又は足は、間接部分に相当する部分がくびれた形状をなしていることが好ましい。
【００１８】
上記態様によれば、間接部分に相当する部分がくびれた形状をなしているので、風船本体に気体を注入した状態で、手及び／又は足の関節部分を曲げやすくなり、手及び／又は足を曲げた状態で磁気吸着させることにより、形状を多様に変化させることができる。
【００１９】
また、前記フィルムは、背面側のフィルムと前面側のフィルムとで構成されており、前記磁石は、前面側のフィルムの内面に固着されていることが好ましい。
【００２０】
上記態様によれば、複数の手及び／又は足の前面側のフィルムの内面に磁石が固着されているので、複数の手及び／又は足を、磁気吸着性の壁等に前面側で吸着させることができ、壁をよじのぼっているような外観を付与したり、手どうしをカードやシートを挟んで前面側で吸着させることにより、風船が型取る人や動物の前面側でカードやシートを保持させることができる。
【００２１】
また、前記風船本体は、両手及び両足を有しており、両手の内側に固着された磁石どうし、及び両足の内側に固着された磁石どうしが、互いに吸着可能なＳ極及びＮ極からなっていることが好ましい。
【００２２】
上記態様によれば、両手どうし又は両足どうしを吸着させて、それらの間にカードやシートを挟んだり、複数の風船の手と足のＳ極とＮ極とを吸着させることにより、複数の風船の手と足を連結することができる。
【００２３】
更に、前記バルブが装着された部分を覆うことが可能な衣服状のフィルムが、着脱可能に被せられていることが好ましい。
【００２４】
上記態様によれば、バルブが装着された部分が衣服状のフィルムで覆われるので、外観を良好にすることができる。
【発明の効果】
【００２５】
本発明によれば、手及び／又は足の内部に収容固着された複数の磁石によって、磁気吸着性の壁に手及び／又は足を吸着させたり、複数の風船の手及び／又は足どうしを磁気吸着させていろいろな形状に連結させたり、手及び／又は足のいずれかを磁気吸着性の壁に吸着させると共に、残りの手及び／又は足どうしでカードやシート等を挟んで磁気吸着により保持させたりすることができ、様々な使い方で、おもちゃ、ディスプレイ、クリップ等として利用することができる。
【図面の簡単な説明】
【００２６】
【図１】本発明の磁石付き風船一実施形態を示す分解斜視図である。
【図２】磁石付き風船の風船本体の製造方法の一例を示す斜視図である。
【図３】周縁部を溶着された風船本体の斜視図である。
【図４】同風船本体に磁石を挿入する方法の一例を示す説明図である。
【図５】同風船本体に磁石を固着する状態を示す説明図である。
【図６】同風船本体にバルブを装着した状態の斜視図である。
【図７】本発明の磁石付き風船に空気等の気体を注入して膨らませた状態を示す斜視図である。
【図８】同磁石付き風船に衣服状物を被せた状態を示す斜視図である。
【図９】同磁石付き風船の利用方法の一例を示す説明図である。
【図１０】同磁石付き風船の利用方法の他の例を示す説明図である。
【図１１】同磁石付き風船の利用方法の更に他の例を示す説明図である。
【発明を実施するための最良の形態】
【００２７】
以下、図面を参照して、本発明の磁石付き風船の一実施形態を説明する。
【００２８】
図１は、この磁石付き風船の分解斜視図である。この磁石付き風船１０は、背面側フィルム１１と、右側フィルム１２ａ、左側フィルム１２ｂからなる前面側フィルム１２と、４つの磁石１７とで構成されている。そして、上記３枚のフィルムの周縁部が熱溶着されて接合されることにより、人を型取った形状の風船となっている。
【００２９】
背面側フィルム１１、前面側フィルム１２の材質としては、例えばポリエチレン、ポリアミド、ポリエチレンテレフタレート、ポリプロピレン、ポリビニルアルコール、エチレンビニルアルコール重合体等が好ましく用いられる。また、各フィルムに、金属蒸着を施したり、金属箔をラミネートしたりしてもよい。中でも、ポリアミドフィルムの内面にポリエチレンフィルムをラミネートしたフィルム、あるいは該ラミネートフィルムの外側に金属蒸着を施したフィルムが、特に好ましく用いられる。
【００３０】
図２に示すように、背面側フィルム１１と前面側フィルム１２とからなる風船本体は、背面側フィルム１１と前面側フィルム１２をそれぞれ２つ折りにし、前面側フィルム１２を外側、背面側フィルム１１を内側にして、かつ、背面側フィルム１１に対して前面側フィルム１２がずれ部Ｍをもってずらして重ね合わせ、溶着・溶断ラインＬで溶着すると同時に溶断することによって製造することができる。この場合、背面側フィルム１１と前面側フィルム１２とが向き合う内面側が、ポリエチレン等の熱融着性を有する樹脂層とされ、背面側フィルム１１と前面側フィルム１２の外面側が、ポリアミド、ポリエチレンフタレート等の熱融着性を有しない樹脂層、あるいは金属蒸着層などとされ、それによって、背面側フィルム１１と前面側フィルム１２の外面側、特に背面側フィルム１１の向き合う面どうしが融着してしまわないようにする。
【００３１】
こうして、溶着・溶断された風船本体は、図１，３に示すように、背面側が背面側フィルム１１、前面側が右側フィルム１２ａ、左側フィルム１２ｂからなり、それらの周縁部が熱融着されて人形の形状をなしている。すなわち、人形の形状をなす風船本体は、頭部１９と、胴部２７と、胴部２７の上部両側から伸びる右手１３ａ、左手１３ｂと、胴部２７の下部両側から伸びる右足１４ａ、左足１４ｂとを有し、右側フィルム１２ａ、左側フィルム１２ｂどうしの溶着部の中央部、すなわち胴部２７の中央部にバルブ挿入口１５が形成されている。また、右手１３ａ、左手１３ｂ、右足１４ａ、左足１４ｂの間接に相当する部分には、それぞれくびれ部１８が形成されている。
【００３２】
４つの磁石１７は、右手１３ａ、左手１３ｂ、右足１４ａ、左足１４ｂの先端部の内側に装着されている。この実施形態では、右手１３ａ、左手１３ｂ、右足１４ａ、左足１４ｂの先端部の前面側フィルム１２側に、両面接着テープを介して接着固定されている。
【００３３】
磁石１７の装着方法は、特に限定されないが、前記特許文献１（特許第５０６５２１３号公報）に記載された方法が好ましく採用される。すなわち、図４に示すように、細長板２１の先端部に保持壁２２を設けた挿入治具２０を用い、磁石１７を保持壁２２で囲まれた部分に設置する。磁石１７の上面には、両面接着テープを貼着しておく。その状態で、磁石１７を保持した挿入治具２０の先端部をバルブ挿入口１５から挿入して、図５に示すように、装着すべき箇所、例えば右手１３ａの先端部に挿入する。そして、指等で前面側フィルム１２の外側から磁石１７の上面側部分を押圧して、磁石１７の上面に貼着された両面接着テープを介して、磁石１７を前面側フィルム１２の内面に接着固定する。その後、挿入治具２０の細長板２１をバルブ挿入口から抜き出す。この操作を繰り返して、左手１３ｂ、右足１４ａ、左足１４ｂのそれぞれの先端部の内面にも磁石１７を接着固定する。磁石１７は、前面側フィルム１２の内面側に固定されることが好ましいが、背面側フィルム１１の内面側に固定されていてもよい。
【００３４】
このとき、バルブ挿入口から右手１３ａ、左手１３ｂ、右足１４ａ、左足１４ｂの先端部に至るそれぞれの内部通路がほぼ直線的に伸びるように構成されることが好ましく、それによって挿入治具２０を挿入しやすくすることができる。なお、ここでほぼ直線的に伸びるとは、背面側フィルム１１，前面側フィルム１２を大きく曲げなくても、直線状をなす挿入治具２０の細長板２１を、スムーズに挿入できる程度の直線性を有することを意味する。また、ここでスムーズに挿入できるとは、背面側フィルム１１，前面側フィルム１２に大きなシワを寄せることなく、細長板２１を引っ掛かりなく挿入できる程度の直線性を意味する。
【００３５】
また、右手１３ａ、左手１３ｂ、右足１４ａ、左足１４ｂのそれぞれの先端部に磁石１７を挿入できるようにするため、右手１３ａ、左手１３ｂ、右足１４ａ、左足１４ｂは、バルブ挿入口に対して放射状に伸びるように形成されることが好ましい。この場合も、右手１３ａ、左手１３ｂ、右足１４ａ、左足１４ｂが、バルブ挿入口を中心として正確に放射状に伸びるようにする必要はなく、挿入治具２０の細長板２１を、バルブ挿入口から、右手１３ａ、左手１３ｂ、右足１４ａ、左足１４ｂのそれぞれの先端部に、スムーズに挿入できる程度に放射状になっていればよい。
【００３６】
更に、バルブ挿入口は、右側フィルム１２ａと左側フィルム１２ｂとの接合縁部のほぼ中央、この実施形態の場合、胴部２７の中央部に配置されることが好ましい。それによって、挿入治具２０の細長板２１を、バルブ挿入口から、右手１３ａ、左手１３ｂ、右足１４ａ、左足１４ｂのそれぞれの先端部に挿入しやすくすることができる。
【００３７】
こうして磁石１７を右手１３ａ、左手１３ｂ、右足１４ａ、左足１４ｂの先端部の内部に固定した後、バルブ挿入口１５にバルブ１６を装着する。バルブ１６としては、例えばポリエチレン等からなる一対の帯状フィルムの両側部を重ね合わせて熱溶着し、両端を気体入口及び気体出口として開放させ、更にその内部に、熱溶着時にも溶着しない非溶着部（図示せず）を設けた構造のものが採用できる。バルブ１６は、バルブ挿入口１５に挿入されて、バルブ挿入口１５の上から熱溶着することにより、バルブ挿入口１５の内周に気密的に取付けられる。そして、バルブ１６内にノズルやストロー等を挿入して、空気等の気体を注入することにより、風船本体を膨らませることができ、ノズルやストロー等を引抜くと、バルブ１６が閉じて気体が漏れることが防止され、磁石付き風船１０を膨らませた状態に維持できる。
【００３８】
ただし、バルブ１６としては、上記構造に限定されず、この種の風船に用いられる各種構造のフィルム状逆止弁を用いることができる。そのような逆止弁として、例えば実開平６−３７６６５号、特開平３−５０挿入治具２０５８号などに開示されたものが挙げられる。
【００３９】
こうして磁石付き風船１０を膨らませた状態が、図７に示されている。この磁石付き風船１０は、人形が右手１３ａ、左手１３ｂ、右足１４ａ、左足１４ｂからなる手足を広げた形状をなし、くびれ部１８が手足の関節部分を構成している。また、右手１３ａ、左手１３ｂ、右足１４ａ、左足１４ｂのそれぞれの先端内部には、前面側フィルム１２の内面側に接着された磁石１７が配置されている。
【００４０】
なお、この実施形態では、磁石１７は、円板状をなしているが、正方形、長方形、小判形等の板状をなしていてもよい。磁石１７の一方の面はＳ極、他方の面はＮ極をなしているが、磁石付き風船１０の前面側に向いている極性は、右手１３ａ、左手１３ｂの間、及び、右足１４ａ、左足１４ｂの間で異なっていることが好ましい。それによって、右手１３ａ、左手１３ｂどうし、又は右足１４ａ、左足１４ｂどうしを磁気吸着させたり、右手１３ａ、左手１３ｂのいずれかと、右足１４ａ、左足１４ｂのいずれかとを連結させたりすることができる。
【００４１】
一方、この実施形態の場合、バルブ挿入口１５及びバルブ１６が、胴部２７の中央部に装着されているため、外観が悪くなっている。このため、図８に示すように、磁石付き風船１０の胴部２７等に、衣服状物２４を被せてもよい。衣服状物２４によってバルブ挿入口１５及びバルブ１６が隠されるため、見栄えを良好にすることができる。なお、衣服状物２４は、フィルムからなっていてもよく、布地等からなっていてもよい。
【００４２】
次に、この磁石付き風船１０の利用方法について説明する。図９は、磁石付き風船１０の利用方法の一例を示している。この例は、磁性壁体２５に、右手１３ａ、左手１３ｂ、右足１４ａ、左足１４ｂの磁石１７を吸着させて、人が壁をよじ登っている形状にしたものである。このとき、右手１３ａ、左手１３ｂ、右足１４ａ、左足１４ｂの間接に相当する部分がくびれ部１８になっているので、間接部分が曲がりやすくなり、人が壁をよじ登っている状態をよりリアルに表現することができる。
【００４３】
図１０は、磁石付き風船１０の利用方法の他の例を示している。この例は、磁性壁体２５に、右足１４ａ、左足１４ｂの磁石１７を吸着させて、磁石付き風船１０を前向きにして壁に固定すると共に、右手１３ａ、左手１３ｂの磁石１７どうしで、ぺーパー２６を挟んで保持させたものである。このように、ディスプレイを兼ねて、ペーパーやカードなどのホルダとしても利用することができる。
【００４４】
図１１は、磁石付き風船１０の利用方法の更に他の例を示している。この例は、下方に位置する磁石付き風船１０の右手１３ａの磁石１７と、中間に位置する磁石付き風船１０の左足１４ｂの磁石１７とを吸着させて連結し、中間に位置する磁石付き風船１０の右手１３ａの磁石１７と、上方に位置する磁石付き風船１０の右手１３ａの磁石１７とを吸着させて連結することにより、３つの磁石付き風船１０を鎖状に連結したものである。なお、上方と下方に位置する磁石付き風船１０の右足１４ａ、左足１４ｂの磁石１７を、図示していない磁性壁体２５に吸着させて、複数の磁石付き風船１０が連結された状態で壁に固定することもできる。このように、複数の磁石付き風船１０を連結させて、よりデザイン的に多様化したディスプレイを提供することができる。
【００４５】
このように、本発明によれば、磁石を利用して多様に変化させて楽しむことが可能な磁石付き風船を提供することができる。
【００４６】
なお、上記実施形態の磁石付き風船１０は、人を型取った人形の形態をなしているが、磁石付き風船１０の形態としては、複数本の手及び／又は足を有する形状をなすものであればどのようなものでもよく、例えば、犬、ねこ、くま、うさぎ、さる等のほ乳類、カエル、トカゲ等の爬虫類、ペンギン、インコ、オウム等の鳥類などの動物や、擬人化された想像上の生物、恐竜などが挙げられる。また、磁石の装着箇所は、手及び足のうち、少なくとも２本以上の先端部の内部にあればよく、足だけ、手だけにあってもよい。
【符号の説明】
【００４７】
１０  磁石付き風船
１１  背面側フィルム
１２  前面側フィルム
１２ａ  右側フィルム
１２ｂ  左側フィルム
１３ａ  右手
１３ｂ  左手
１４ａ  右足
１４ｂ  左足
１５  バルブ挿入口
１６  バルブ１６
１７  磁石
１８  くびれ部
１９  頭部
２０  挿入治具
２１  細長板
２２  保持壁
２３  磁石
２４  衣服状物
２５  磁性壁体
２６  ぺーパー
２７  胴体
Ｌ  溶着・溶断ライン
Ｍ  ずれ部
【図１】
0006603933.tif 000002
【図２】
0006603933.tif 000003
【図３】
0006603933.tif 000004
【図４】
0006603933.tif 000005
【図５】
0006603933.tif 000006
【図６】
0006603933.tif 000007
【図７】
0006603933.tif 000008
【図８】
0006603933.tif 000009
【図９】
0006603933.tif 000010
【図１０】
0006603933.tif 000011
【図１１】
0006603933.tif 000012